(57)【要約】【課題】竪樋と地中排水管との連結部に落葉除けが取付可能でメンテナンスが容易な排水管カバーを提供する。【解決手段】上端筒状体１を縦割り状に分割して上端筒分割体５を形成し、一方の上端筒分割体５を可動側上端筒状体６とし、他方の上端筒分割体５を下端筒状体２に一体化し固定側上端筒分割体７とするとともに、固定側上端筒分割体７の内側下方に略半円周状の突起８を形成し、円周状のフランジ部９を有する落葉除けネット３のフランジ部９を固定側上端筒分割体７の内側下方の突起８に載置することにより落葉除けネット３を保持するとともに、可動側上端筒分割体６と固定側上端筒分割体７とをスライド自在に覆うものである。【選択図】図１
2006207206.tif 000002
【特許請求の範囲】
【請求項１】
上端筒状体と下端筒状体と落葉除けネットとで構成する筒状体の排水管カバーにおいて、上端筒状体を縦割り状に分割して上端筒分割体を形成し、一方の上端筒分割体を可動側上端筒状体とし、他方の上端筒分割体を下端筒状体に一体化し固定側上端筒分割体とするとともに、固定側上端筒分割体の内側下方に略半円周状の突起を形成し、円周状のフランジ部を有する落葉除けネットのフランジ部を固定側上端筒分割体の内側下方の突起に載置することにより落葉除けネットを保持するとともに、一方の上端筒分割体の側端縁に嵌合凸部、他方の上端筒分割体の側端縁に嵌合凹部を各々形成し、嵌合凸部と嵌合凹部とを相互に嵌合して、可動側上端筒分割体と固定側上端筒分割体とをスライド自在とすることにより竪樋と地中に埋設された排水管との連結部分をスライド自在に覆う排水管カバー。
【発明の詳細な説明】
【技術分野】
【０００１】
本発明は、竪樋の下端部分の外側を覆って該竪樋と地中に埋設された排水管との連結部分を隠し、保護する排水管カバーに関する。詳しくは、内部に落葉除けネットを収容するとともに落葉除けネットを着脱可能とする排水管カバーに関する。
【背景技術】
【０００２】
従来、上記排水管カバーに関しては、下記特許文献が知られている。
【特許文献１】実開平５−６１３３４号公報（第１−２頁、第１図）
【発明の開示】
【発明が解決しようとする課題】
【０００３】
上記特許文献１には、その第１図から明らかなように筒状体を２分割し、分離した各分割体を用いて、竪樋の下端部分の外側を着脱自在に覆う排水管カバーが開示されている。しかしながら、上記各分割体は２本で１セットとされ、上下２箇所の嵌合凸部と嵌合凹部とを各々結合させる必要があり、施工時の作業性が悪いという問題がある。また、軒樋落し口（集水器）で回収できなかった落葉やゴミは排水管に流れ込んでしまうので、排水管を詰まらせる恐れがあるという問題がある。本発明は、このような問題を解決して、竪樋と地中に埋設された排水管との連結部分を作業性よく覆うことが可能で、落葉を取り除くことが可能でメンテナンスの容易な排水管カバーを提供することを、その課題とする。
【課題を解決するための手段】
【０００４】
上記課題を解決するために、本発明においては、つぎのような技術的手段を講じている。すなわち、本発明によれば、上端筒状体と下端筒状体と落葉除けネットとで構成する筒状体の排水管カバーにおいて、上端筒状体を縦割り状に分割して上端筒分割体を形成し、一方の上端筒分割体を可動側上端筒状体とし、他方の上端筒分割体を下端筒状体に一体化し固定側上端筒分割体とするとともに、固定側上端筒分割体の内側下方に略半円周状の突起を形成し、円周状のフランジ部を有する落葉除けネットのフランジ部を固定側上端筒分割体の内側下方の突起に載置することにより落葉除けネットを保持するとともに、一方の上端筒分割体の側端縁に嵌合凸部、他方の上端筒分割体の側端縁に嵌合凹部を各々形成し、嵌合凸部と嵌合凹部とを相互に嵌合して、可動側上端筒分割体と固定側上端筒分割体とをスライド自在とすることにより竪樋と地中に埋設された排水管との連結部分をスライド自在に覆うものである。
【０００５】
上記可動側上端筒分割体と固定側上端筒分割体とは、それぞれ合成樹脂から一体的に形成され、嵌合凸部と嵌合凹部とは上下スライド可能とされる。上記合成樹脂としては、例えば、硬質塩化ビニル、ポリプロピレン等の硬質樹脂が好ましく用いられる。
【発明の効果】
【０００６】
本発明は上記のとおりであり、一方の可動側上端筒分割体の側端縁と他方の固定側上端筒分割体の側端縁とがスライド自在に摺動するため、メンテナンス等を行う場合には可動側上端筒分割体を上方向に動かして、竪樋と地中に埋設された排水管との連結部分を開けることができ、落葉除けネットを手前に容易に取り外すことができる。
【０００７】
下端筒状体は一体化して地表と接地し、上側よりやや径が大きいスカート部とされているため、地中に埋設された竪樋よりも径の大きい排水管の外側を意匠性よく覆うことができる。
【発明を実施するための最良の形態】
【０００８】
以下、本発明の実施形態について図面を参照して、詳細に説明する。図１は、本発明にかかる排水管カバーを示す斜視図である。図１からよくわかるように、上端筒状体１と下端筒状体２と落葉除けネット３とで構成する筒状体の排水管カバー４において、上端筒状体１を縦割り状に分割して上端筒分割体５を形成し、一方の上端筒分割体５を可動側上端筒状体６とし、他方の上端筒分割体５を下端筒状体２に一体化し固定側上端筒分割体７とするとともに、固定側上端筒分割体７の内側下方に略半円周状の突起８を形成し、円周状のフランジ部９を有する落葉除けネット３のフランジ部９を固定側上端筒分割体７の内側下方の突起８に載置することにより落葉除けネット３を保持するとともに、一方の上端筒分割体５の側端縁に嵌合凸部１０、他方の上端筒分割体５の側端縁に嵌合凹部１１を各々形成し、嵌合凸部１０と嵌合凹部１１とを相互に嵌合して、可動側上端筒分割体６と固定側上端筒分割体７とをスライド自在とすることにより竪樋と地中に埋設された排水管との連結部分をスライド自在に覆うものである。
排水管カバーは、竪樋の下端部分の外側に被嵌されて、竪樋の下端の地中に埋設された排水管との連結部分を覆い隠して保護するものである。この場合、竪樋は円筒形状で、ステンレス、銅、アルミニウム等の金属、或いは、合成樹脂等にて形成されている。また、地中に埋設された排水管も円筒形状で地中に埋設施工されており、地中に埋設された排水管の上端開口内に、排水管カバー下端の内側に形成する筒状体の下端が挿入嵌合されて連結されるものである。
【０００９】
図２は、図１に示されたＢ部の詳細を示す部分断面図である。図２からよくわかるように、一方の側端縁には嵌合凹部１１が形成され、他方の側端縁には嵌合凸部１０が形成されており、嵌合凹部１１と嵌合凸部１０とは対向方向に相互に嵌合されるものである。
上記可動側上端筒分割体と固定側上端筒分割体とは、それぞれ合成樹脂から一体的に形成され、嵌合凸部と嵌合凹部とは上下スライド可能とされる。上記合成樹脂としては、例えば、硬質塩化ビニル、ポリプロピレン等の硬質樹脂が好ましく用いられる。
一方の可動側上端筒分割体の側端縁と他方の固定側上端筒分割体の側端縁とがスライド自在に摺動するため、メンテナンス等を行う場合には可動側上端筒分割体を上方向に動かして、竪樋と地中に埋設された排水管との結合部分を開けることができ、落葉除けネットを手前に容易に取り外すことができる。すなわち、図１に示す状態にすれば、容易に掃除することができる。したがって、施工が簡単で、メンテナンスも容易な排水管カバーとすることができる。
【図面の簡単な説明】
【００１０】
【図１】本発明にかかる排水管カバーを示す斜視図である。
【図２】図１に示されたＢ部の詳細を示す部分断面図である。
【符号の説明】
【００１１】
１          上端筒状体
２          下端筒状体
３          落葉除けネット
４          排水管カバー
５          上端筒分割体
６          可動側上端筒状体
７          固定側上端筒分割体
８          突起
９          フランジ部
１０        嵌合凸部
１１        嵌合凹部
【図１】
2006207206.tif 000003
【図２】
2006207206.tif 000004